(57)【要約】【課題】小型で且つ低コストであると共に強度の高いサブロック装置を提供する。【解決手段】本発明のサブロック装置１において、ストッパー９の上見込み面３７及び下見込み面３９は、軸１３よりも引戸開閉方向一方側の位置で且つストッパーの室内側見付け面よりも室外側の位置に係止溝４１を有し、ケース１１の上下の見込み壁２１、２３は係止溝４１に入り込む係止突起３１を有し、係止溝４１の室内側端はストッパー９の室内側端よりも室外側に位置し、ストッパー９の引戸開閉方向における他方側端部３４をケース１１内に没することにより一方側端部３３がケース１１から室内側に突出したときに、一方側端部３３が障子当接部になると共に係止突起３１が係止溝４１の室外側隅部４４に当接する。【選択図】図１
2011144635.tif 000002
【特許請求の範囲】
【請求項１】
ストッパーと、ケースと、軸とを備え、ケースは室内側に開口して上下左右の見込み壁で形成されるストッパー収納部を有し、ストッパーはケースの上下の見込み壁に対向する上下の見込み面を有し、ストッパー収納部に配置されており、軸はケースとストッパーの引戸開閉方向の中間位置を上下方向に貫通し、ケースとストッパーを一体化しており、ストッパーの上見込み面及び下見込み面は、軸よりも引戸開閉方向一方側の位置で且つストッパーの室内側見付け面よりも室外側の位置に係止溝を有し、ケースの上下の見込み壁は、軸よりも引戸開閉方向一方側の位置に、ストッパーの係止溝に入り込む係止突起を有し、ストッパーの引戸開閉方向における他方側端部をケース内に没することにより一方側端部がケースから室内側に突出したときに、ストッパーの一方側端部が障子当接部になると共に、係止突起が係止溝の室外側隅部に当接することを特徴とするサブロック装置。
【請求項２】
ストッパーの上見込み面及び下見込み面は、係止溝と連続し且つストッパーのいずれかの側壁に開口する案内溝を有し、案内溝の開口はストッパーをケース内に組み込むときに係止突起の挿入口としてあることを特徴とする請求項１に記載のサブロック装置。
【請求項３】
ケースの係止突起は、軸よりも室内側に位置することを特徴とする請求項１又は２に記載のサブロック装置。
【請求項４】
請求項１〜３のいずれか一項に記載のサブロック装置を引戸の上横框又は下横框に設けたことを特徴とする引違いサッシ。
【発明の詳細な説明】
【技術分野】
【０００１】
本発明は、引戸が開くのを制限するサブロック装置及びそのサブロック装置を備える引違いサッシに関する。
【背景技術】
【０００２】
特許文献１には、ストッパーを引戸開閉方向の中間部を軸でケース内に軸着して、ストッパーの他方側端部を指で没することにより一方側端部をケース外に突出自在に設けたサブロック装置が開示されている。
【先行技術文献】
【特許文献】
【０００３】
【特許文献１】特開平８−６８２４８号公報
【発明の概要】
【発明が解決しようとする課題】
【０００４】
しかし、特許文献１のサブロック装置では、引戸を開いたときに、ストッパーの一方側端部に戸が当ってストッパーが力を受けると、ストッパーが受けた力はストッパーをケースに軸着している軸部分のみが受けるので、一箇所のみに力が集中して損傷しやすいという問題があった。
一方、サブロック装置の強度を高めるために、強度の高い構成部品を用いたのではコスト高になり、大型にしたのでは引戸全体の外観を損なうという問題がある。
【０００５】
そこで、本発明は、小型で且つ低コストであると共に強度の高いサブロック装置及びそのサブロック装置を備える引違いサッシの提供を目的とする。
【課題を解決するための手段】
【０００６】
請求項１に記載の発明は、ストッパーと、ケースと、軸とを備え、ケースは室内側に開口して上下左右の見込み壁で形成されるストッパー収納部を有し、ストッパーはケースの上下の見込み壁に対向する上下の見込み面を有し、ストッパー収納部に配置されており、軸はケースとストッパーの引戸開閉方向の中間位置を上下方向に貫通し、ケースとストッパーを一体化しており、ストッパーの上見込み面及び下見込み面は、軸よりも引戸開閉方向一方側の位置で且つストッパーの室内側見付け面よりも室外側の位置に係止溝を有し、ケースの上下の見込み壁は、軸よりも引戸開閉方向一方側の位置に、ストッパーの係止溝に入り込む係止突起を有し、ストッパーの引戸開閉方向における他方側端部をケース内に没することにより一方側端部がケースから室内側に突出したときに、ストッパーの一方側端部が障子当接部になると共に、係止突起が係止溝の室外側隅部に当接することを特徴とするサブロック装置である。
【０００７】
請求項２に記載の発明は、請求項１に記載の発明において、ストッパーの上見込み面及び下見込み面は、係止溝と連続し且つストッパーのいずれかの側壁に開口する案内溝を有し、案内溝の開口はストッパーをケース内に組み込むときに係止突起の挿入口としてあることを特徴とする。
【０００８】
請求項３に記載の発明は、請求項１又は２に記載のサブロック装置において、ケースの係止突起は、軸よりも室内側に位置することを特徴とする。
【０００９】
請求項４に記載の発明は、請求項１〜３のいずれか一項に記載のサブロック装置を引戸の上横框又は下横框に設けたことを特徴とする引違いサッシである。
【発明の効果】
【００１０】
請求項１に記載の発明によれば、ストッパーの一方側端部が突出して障子当接部になっているときにストッパーの一方側端部に戸が当ってストッパーの一方側端部が力を受けると、ストッパーが受けた力は、軸と係止突起との２箇所で受ける。したがって、ストッパーが受けた力が一箇所に集中して損傷するのを防止できる。
ストッパーが受けた力が一箇所に集中しないから特別に強度の高い材質を用いる必要がないので、製造コストを安価にできる。
ストッパーを軸によりケース内に軸着すると共に、ストッパーに溝を設け、ケースに突起を形成するだけであるから、小型で構成が簡易であり且つ組立てが容易である。
引戸がストッパーの一方側端部（障子当接部）に当たったときには、軸を中心にしてストッパーを回転しようとするモーメント力が作用して係止突起は軸との間を半径とする円の接線方向の力を室外側溝壁から受けると共に、軸からの反力を隅部を形成している室外側溝壁と軸側の溝壁から受ける。このようなモーメント力と軸の反力は、部品精度や組立て精度により作用する位置に若干のずれが生じるが、係止溝において係止突起が室外側隅部に当接することにより、係止突起に作用する力の方向に多少のずれがあっても隅部を形成している溝壁が、回転モーメントの方向と軸の反力の方向とから係止突起に当接できるから、部品精度や組み立て制度が要求されることなく、軸と係止突起とで衝撃を分散して受けることができる。
【００１１】
請求項２に記載の発明によれば、請求項１に記載の作用効果を奏すると共に、案内溝の開口から係止突起を挿入してケースにストッパーを組み込むことができるので、組立が容易である。
【００１２】
請求項３に記載の発明によれば、請求項１又は２に記載の作用効果を奏すると共に、ストッパーの引戸開閉方向における他方側端部をケース内に没したときに、係止突起が軸と同じか軸よりも室外側に位置する場合に比較して、障子当接部であるストッパーの一方側端部の突出寸法を大きくできる。換言すれば、障子当接部が所定の突出寸法を得るためにストッパーの見込み寸法を小さくでき、サブロック装置を小型化にできる。
【００１３】
請求項４に記載の発明によれば、請求項１〜３のいずれか一項に記載の作用効果を奏する引違いサッシを提供できる。
【図面の簡単な説明】
【００１４】
【図１】本実施の形態にかかるサブロック装置を装着した引戸サッシの横断面図である。
【図２】（ａ）は本実施の形態にかかるサブロック装置を装着した引戸サッシを図１のＡ―Ａ位置で切断した断面図であり、（ｂ）は本実施の形態にかかるサブロック装置を装着した引戸サッシを室内側から見た正面図である。
【図３】本実施の形態にかかるサブロック装置のケースの図であり、（ａ）は正面図、（ｂ）は（ａ）に示すＢ―Ｂ位置で切断した断面図である。
【図４】本実施の形態にかかるサブロック装置のストッパーの図であり、（ａ）は平面図、（ｂ）は横断面図である。
【図５】本実施の形態にかかるサブロック装置を装着した引戸サッシの横断面図であり、ストッパーが室内側に突出していない状態を示す図である。
【発明を実施するための形態】
【００１５】
以下に、添付図面を参照して本発明の実施の形態を説明する。本実施の形態にかかるサブロック装置１は、室外側引戸３の下框７の室内側面において、召合せ框５に近接した位置に固定してあり、不法侵入者により鍵やクレセント（メインロック）が外された場合でも室外側引戸３及び室内引戸４が開くのを制限するものである。
このサブロック装置１は、ストッパー９と、ケース１１と、軸１３とを備えており、ケース１１は室外側引戸３の下框７に固定してある。
ケース１１にはストッパー収納部１９が設けてある。ストッパー収納部１９は、内周側に上見込み壁２１と、下見込み壁２３と、上見込み壁２１と下見込み壁２３との間に設けた一方側壁２５及び他方側壁２７とを有し、室内側が開口した縦断面略矩形の空間を成している。一方側壁２５は引戸の開閉方向一方側にあり、他方側壁２７は開閉方向の他方側にある。
上見込み壁２１及び下見込み壁２３には、一方側壁２５と他方側壁２７との間の略中央部に軸１３の取付け孔２９、２９が設けてあり、取付け孔２９、２９よりも一方側壁２５側には、各々収納空間内側に突出する係止突起３１、３１が設けてある。係止突起３１、３１は軸１３よりも室内側に位置している。
ストッパー９はケース１１のストッパー収納部１９内に配置してあり、引戸の開閉方向一方側にある一方側端部３３と他方側にある他方側端部３４との間の中間部３５を軸１３によりケース１１内に軸着して一方側端部３３をケース外に突出自在としてある。ストッパー９の他方側端部３４は、操作部となっており、他方側端部３４を指先で没することにより一方側端部３３がケース１１から突出自在としてある。
ストッパー９には、外周にケース１１の上見込み壁２１に対向する上見込み面３７と、ケース１１の下見込み面３９が設けてある。ストッパー９の上見込み面３７及び下見込み面３９には、各々係止突起３１が入り込む係止溝４１が室内外方向に長く設けてあると共に係止溝４１には案内溝４３が連続して設けてある。案内溝４３は、ストッパー９の一方側端部３３に開口して且つ引戸開閉方向に設けてあり、ストッパ−９の一方側端部３３の開口から案内溝４３に係止突起３１を係合自在になっている。
ストッパー９の一方側端部３３がケース１１から突出したときに、係止突起３１は係止溝４１を構成している溝壁のうちの隅部４４の室外側にある室外側溝壁４５に当接する。尚、本実施の形態では、隅部４４は係止溝４１と案内溝４３とが成すコーナであり、このコーナに係止突起３１が位置している。
【００１６】
次に、本実施の形態にかかるサブロック装置１の組立て、作用及び効果について説明する。
サブロック装置１の組立ては、ケース１１とストッパー９と軸１３との構成部品において、ストッパー９の案内溝４３の開口４３ａからケース１１の係止突起３１を挿入してケースのストッパー収納部１９内にストッパー９を組み入れ、係止突起３１を案内溝４３から係止溝４１に移動させて係止突起３１を係止溝４１に係合すると共にストッパー９をケース１１のストッパー収納部１９内に配置し、ケース１１とストッパー９を軸１３で固定する。
サブロック装置１は使用しない場合には、図５に示すように、ストッパー９がケース１１のストッパー収納部１９内に収まっており、引戸の走行の邪魔にならない。
サブロック装置１を使用するときには、室内側からストッパー９の他方側端部３４を指先でケース１１内に没する。これにより、図１に示すように、ストッパー９は、軸１３を中心にして回動し、一方側端部３３がケース１１から室内側に突出する。突出した一方側端部３３は、室内側引戸４の移動軌跡上に位置して障子当接部となり、係止突起３１は係止溝４１の隅部４４にある室外側溝壁４５に当接する。
【００１７】
本実施の形態によれば、例えば、不正解錠等によりメインロックやクレセントが外されて、室外側引戸３又は室内側引戸４が引かれると、ケースから室内側に突出しているストッパー９の一方側端部３３に戸が当って、室外側引戸３及び室内側引戸４が移動するのを制限する。このとき、ストッパー９の一方側端部３３が引戸の当接により力を受けるが、ストッパー９が受けた力は、軸１３が受けると共に、係止溝４１の室外側溝壁４５に当接している係止突起３１も受ける。したがって、ストッパー９に作用する力を軸１３と上下の係止突起３１とで、合計２箇所に分散するので、一箇所に力が集中して損傷するのを防止できる。
ストッパー９が受けた力が一箇所に集中しないから特別に強度の高い材質を用いる必要がないので、製造コストを安価にできる。
また、サブロック装置１は、ストッパー９を軸１３によりケース１１内に軸着してあり、ストッパー９に係止溝４１を設け、ケース１１に突起３１を形成するだけであるから、構成が簡易であり且つ組立てが容易である。
サブロック装置１の組立て時には、ストッパー９の案内溝４３の開口４３ａからケース１１の係止突起３１を挿入して、係止突起３１を案内溝４３から係止溝４１に移動させてストッパー９をケース１１のストッパー収納部１９内に配置できるので、組み立てが容易である。
室内側引戸４がストッパー９の一方側端部３３に当たったときには、軸１３を中心にしてストッパー９を回転しようとするモーメント力が作用して係止突起３１は軸１３との間を半径とする円の接線方向の力を室外側溝壁４５から受けると共に、軸１３からの反力を室外側溝壁４５と隅部４４を形成する軸側の溝壁４２から受ける。このようなモーメント力と軸１３の反力は、部品精度や組立て精度により作用する位置に若干のずれが生じるが、係止溝４１において係止突起３１が隅部の室外側溝壁４５に当接することにより、係止突起３１に作用する力の方向に多少のずれがあっても隅部４４を形成している溝壁４５、４２が、回転モーメントの方向と軸の反力の方向とから係止突起３１に当接できるから、部品精度や組み立て制度が要求されることなく、軸１３と係止突起３１とで衝撃を分散して受けることができる。
【００１８】
本発明は、上述した実施の形態に限らず、本発明の要旨を逸脱しない範囲で種々変形可能である。
例えば、サブロック装置１は、上框に取付けるものであってもよく、取付け位置は制限されない。
また、サブロック装置１は、例えば換気用に引戸を少しだけ開くときに、開き位置を制限するものであってもよく、使用目的は制限されない。
【符号の説明】
【００１９】
１      サブロック装置
９      ストッパー
１１    ケース
１３    軸
１９    収納部
２１    上見込み壁（ケース側）
２３    下見込み壁（ケース側）
３１    係止突起
３３    一方側端部
３４    他方側端部
３７    上見込み面（ストッパー側）
３９    下見込み面（ストッパー側）
４１    係止溝
４２    軸側溝壁
４３ａ  開口
４４    隅部
４５    室外側溝壁
【図１】
2011144635.tif 000003
【図２】
2011144635.tif 000004
【図３】
2011144635.tif 000005
【図４】
2011144635.tif 000006
【図５】
2011144635.tif 000007